(57)【特許請求の範囲】
【請求項１】
平面発光側面及び反対側の平面実装側面を有する有機発光ダイオード（ＯＬＥＤ）デバイスであって、ＯＬＥＤデバイスが、平面実装側面を封止するバックシート及び平面発光側面に光を放出させるようにＯＬＥＤデバイスに電気エネルギーを与えるための導電経路を与える電極を含んでおり、電極が、バックシートの穴を貫通し、電極が、導電経路の一部でありかつバックシートの穴を封止する導電性磁性材料のパッチを含んでいてＯＬＥＤデバイスとバックシートと導電性磁性材料のパッチが一緒に封止平面パッケージを画成し、導電性磁性材料のパッチが、該パッチによって封止されるバックシートの穴を覆う箔要素を含んでおり、箔要素の面積がパッチによって封止されるバックシートの穴よりも大きい、ＯＬＥＤデバイスと、
ＯＬＥＤデバイスの電極と対合するように構成された対電極を有する固定具であって、固定具の対電極が、ＯＬＥＤデバイスを固定具と機械的に接続するとともにＯＬＥＤデバイスを固定具と電気的に接続するために、導電性磁性材料のパッチを磁気的に引き付ける磁性材料を含んでいる、固定具と
を備える製品であって、ＯＬＥＤデバイスが平面的であって電力調整電子機器を含んでいない、製品
【請求項２】
固定具の対電極の磁性材料が、ＯＬＥＤデバイスを固定具と機械的に接続するとともにＯＬＥＤデバイスを固定具と電気的に接続するために、導電性磁性材料のパッチを磁気的に引き付ける永久磁石を画成するように磁化される、請求項１記載の製品。
【請求項３】
導電性磁性材料のパッチが、ＯＬＥＤデバイスを固定具と機械的に接続するとともにＯＬＥＤデバイスを固定具と電気的に接続するために、対電極の磁性材料を磁気的に引き付ける永久磁石を画成するように磁化される、請求項１記載の製品。
【請求項４】
導電性磁性材料のパッチが、永久磁石を画成するように磁化され、
固定具の対電極の磁性材料は、永久磁石を画成するように磁化され、
ＯＬＥＤデバイス及び固定具の画成した永久磁石の極性が、ＯＬＥＤデバイスが正しい電気極性でしか固定具と接続できないように有鍵接続を形成するように選択される、請求項１記載の製品。
【請求項５】
固定具が、固定具とのＯＬＥＤデバイスの追加の機械的接続をもたらす追加の機械的支持要素をさらに備える、請求項１記載の製品。
【請求項６】
固定具の追加の機械的支持要素が、追加の機械的維持力を与えるためにＯＬＥＤデバイスを圧縮して保持する、固定具に形成されるタブを備える、請求項５記載の製品。
【請求項７】
固定具が、複数のＯＬＥＤデバイスを電気的に相互接続するジャンパを含む、請求項１記載の製品。
【発明の詳細な説明】
【技術分野】
【０００１】
下記の事項は、照明技術、ライティング技術、ソリッドステートライティング技術、有機発光ダイオード（ＯＬＥＤ）デバイス技術、及び関連技術に関する。
【背景技術】
【０００２】
薄膜エレクトロルミネセント（ＴＦＥＬ）デバイス、有機発光ダイオード（ＯＬＥＤ）デバイス技術などの薄膜ソリッドステートライティング技術は、ディスプレイ及びライティング技術として普及している。これらのデバイスは、薄くすることができる（例えば、厚さ数ｍｍ以下）。さらに、ＴＦＥＬ及びＯＬＥＤデバイスは、大面積にわたる照明を作り出し、ときには照明出力面積が能動ＯＬＥＤデバイス膜構造の面積とほぼ同程度である。これらの幾何学的側面により、薄膜ソリッドステート照明デバイスは「照明壁」又は他の建築的アクセント若しくは照明ライティングにおいて、またキャビネット下のライティングにおいて、また空間が貴重であり薄い大面積平面光源が有利となる他のタイプのライティングにおいて、光源として有用なものとなる。さらに、幾つかの薄膜ソリッドステートライティング技術は、柔軟な形態に製造することができ、柔軟なライティング光源を、柔軟なカードでの使用に、又は湾曲した支柱壁など湾曲した支持表面への取り付けに適したものにすることができる。
【０００３】
最新技術での１つの欠点は、そのようなデバイスのための取り付け及び電気的相互接続技術にある。薄膜ソリッドステートライティングデバイスは、薄く、大面積に、かつ適宜柔軟にできるが、これらの利点は、既存の取り付け及び電力入力構造のサイズ、かさ高性、及び剛性に起因して、現在はかなりの程度失われている。実際、大部分の既存の薄膜ソリッドステートライティングデバイスでは、取り付け及び電力入力構造は、典型的には薄いガラス又はプラスチック基板に配置した薄膜の形の能動発光構造よりも数倍厚い。
【０００４】
例えば、ＯＬＥＤデバイスのパッケージングに現在用いられている１つの技術は、電気入力のためにエッジコネクタを用いることである。そのような構成では、能動ＯＬＥＤ層は、ガラス板又はプラスチック膜の間に挟み込まれ、ＯＬＥＤ層のエッジと接続する電極は、挟み込むガラス又はプラスチック閉じ込めのエッジの外部に延びてエッジコネクタを形成する。この手法は、デバイスのエッジで電極と接続する導電性の対合構造を必要とする。不都合なことは、エッジ電極及び対応する対合構造が占める横方向面積が、パッケージングしたライティングデバイスの発光面積を低減し、パッケージングしないデバイスの大きな照明面積の価値を低減することである。周囲の湿気又は酸素から損傷を受けやすいＯＬＥＤデバイスについては、エッジコネクタはまた、閉じ込めガラス又はプラスチック板若しくは膜のエッジでの気密シールをも損なう。
【０００５】
他のパッケージング技術は、国際公開第２００８／０１２７０２号及び国際公開第２００８／０９９３０５号で開示される。国際公開第２００８／０１２７０２号の手法は、ＯＬＥＤデバイスが「ボード上」受電インダクタ及びボード上電力調整電子機器を有する無線誘導送電を用いる。ボード上誘導コイルは、「平面的」として述べられているが、これらのボード上部品の追加は本質的に、ＯＬＥＤデバイスに追加の複雑さ、かさ、及び厚さを導入する。
【０００６】
国際公開第２００８／０９９３０５号は同様に、かさ及び厚さを増加させるボード上電力変換及び制御回路を開示する。国際公開第２００８／０９９３０５号での電気的接続は、ライティングモジュールがボード上クランプ、ボード上ねじ、又はボード上磁石によってプリント回路板取り付け構造に固定されたとき、バスラインと接続するライティングモジュールの裏面に配置される。ボード上取り付けクランプ、ねじ、又は磁石は、ＯＬＤＥライティングデバイスの複雑さ、かさ、及び厚さのさらに一因となる。
【先行技術文献】
【特許文献】
【０００７】
【特許文献１】国際公開第２００９／０４３５６１号
【発明の概要】
【課題を解決するための手段】
【０００８】
本明細書で開示する幾つかの例示的な実施形態では、平面発光側面及び反対側の平面実装側面を有し、薄膜ソリッドステートライティングデバイスの平面実装側面に配置した電極を含む、薄膜ソリッドステートライティングデバイスであって、電極は、薄膜ソリッドステートライティングデバイスを駆動して平面発光主要側で光を放出するために駆動電流を導電により運ぶように構成された磁性材料を含む、薄膜ソリッドステートライティングデバイスを備える製品が、開示される。電気的及び機械的接続のこの方法は、パッケージの薄いフォームファクタ及び気密シールを維持する。
【０００９】
本明細書で開示する幾つかの例示的な実施形態では、平面発光側面及び平面実装側面に配置した磁性材料を含む反対側の平面実装側面を有する薄膜ソリッドステートライティングデバイスであって、磁性材料は、永久磁石を画成するように磁化されず、誘導素子の構成要素でない、薄膜ソリッドステートライティングデバイスを備える製品が、開示される。電気的及び機械的接続のこの方法は、パッケージの薄いフォームファクタ及び気密シールを維持する。
【００１０】
本発明は、様々な構成要素及び構成要素の構成で、並びに様々なプロセス作業及びプロセス作業の構成で具体化してもよい。図面は、好ましい実施形態を例示する目的のためだけであり、本発明を限定すると解釈すべきでない。
【図面の簡単な説明】
【００１１】
【図１】開示する薄膜ソリッドステートライティングデバイスの一実施形態の概略断面図である。
【図２】開示する薄膜ソリッドステートライティングデバイスの別の実施形態の概略断面図である。
【図３】固定具への同時の電気的接続と一緒の磁気的付着のために適切な位置にある図１の薄膜ソリッドステートライティングデバイスを概略的に例示する図である。
【図４】開示する薄膜ソリッドステートライティングデバイス実装技術を用いるライティング固定具の一例を示す図である。
【図５】開示する薄膜ソリッドステートライティングデバイス実装技術を用いるライティング固定具の一例を示す図である。
【図６】開示する薄膜ソリッドステートライティングデバイス実装技術を用いるライティング固定具の一例を示す図である。
【図７】開示する薄膜ソリッドステートライティングデバイス実装技術を用いるライティング固定具の一例を示す図である。
【図８】開示する薄膜ソリッドステートライティングデバイス実装技術を用いるライティング固定具の一例を示す図である。
【図９】開示する薄膜ソリッドステートライティングデバイス実装技術を用いるライティング固定具の一例を示す図である。
【図１０】図４の固定具のタイル状配置を例示する図である。
【図１１】図１の薄膜ソリッドステートライティングデバイスとしての使用に適した気密封止ＯＬＥＤデバイスの一例の側断面図を示す図である。
【図１２】図１の薄膜ソリッドステートライティングデバイスとしての使用に適した気密封止ＯＬＥＤデバイスの一例の側断面図を示す図である。
【図１３】図１の薄膜ソリッドステートライティングデバイスとしての使用に適した気密封止ＯＬＥＤデバイスの一例の側断面図を示す図である。
【図１４】図１の薄膜ソリッドステートライティングデバイスとしての使用に適した気密封止ＯＬＥＤデバイスの一例の側断面図を示す図である。
【発明を実施するための形態】
【００１２】
図１を参照すると、薄膜ソリッドステートライティングデバイス１０は、薄膜発光構造１２を含む。例示する実施形態では、薄膜発光構造１２は、発光高分子又は発光高分子の１つ以上の層を含む多層構造であり、薄膜ソリッドステートライティングデバイス１０は、有機発光ダイオード（ＯＬＥＤ）デバイスとして周知のタイプである。薄膜エレクトロルミネセント（ＴＦＥＬ）発光構造などの他のタイプの薄膜発光構造もまた企図されている。薄膜発光構造１２は、典型的にはＯＬＥＤデバイスの場合のように、電気極性を有してもよく、その場合には区別できる正及び負の電気端子がある。別法として、薄膜発光構造１２は、無極性で、特定の電気極性を有さなくてもよい。簡略化のために単一層として概略的に例示するが、薄膜発光構造１２は、異なる材料の多層を含んでもよく、又は電気的に直列に相互接続される若しくは別の方法で電気的に構成された電気的に別個の部分に横方向に分割されてもよく、又はその他でもよい。
【００１３】
例示するＯＬＥＤデバイス１０は、閉じ込めガラス板若しくはシート、閉じ込めプラスチック層、又はその他などの、閉じ込め層若しくは構造１４、１６の間に配置した薄膜発光構造１２を含む。前部閉じ込め層１４は、前面２０が平面発光側面２０であるように透明又は半透明である。後部閉じ込め層１６は、反対側の平面実装側面２２を画成する。幾つかの実施形態では、閉じ込め層１４、１６及び平面ＯＬＥＤデバイス１０は全体として、柔軟であり、一方他の実施形態では、閉じ込め層１４、１６及び平面ＯＬＥＤデバイス１０は全体として、実質的に硬い。本明細書で用いる用語「平面的」は、そのような柔軟性を包含すると理解すべきである。
【００１４】
薄膜発光構造１２は、光学活性材料に光を放出させるために、駆動電流を発光高分子又は他の光学活性材料に移送するように構成された金属性又は他の導電性の層の形で電気入力を含む。図１では、１つのそのような電気入力が、例示的に示され、すなわちインジウムスズ酸化物（ＩＴＯ）層２４が、前部閉じ込め層１４上に又は近接して配置される。有利なことに、ＩＴＯは、少なくとも可視光スペクトルの大部分にわたって光学的に透明又は半透明であり、従ってそれの使用は、平面発光側面２０での光放出を促進する。典型的には、駆動電流が光学活性材料を通って流れることを可能にするために、駆動電流を発光高分子又は他の光学活性材料に移送するように構成された２つ以上の金属性又は他の導電性の層を提供する。例示しないが、金属性又は他の導電性の層は、リソグラフィでパターニングして又は他の方法で横方向に限定し若しくはパターニングして選択した電気的構成を画成する。例えば、ＯＬＥＤデバイスでは、これらの層は、ときにはパターニングして発光高分子材料の複数の直列相互接続領域を電気的に画成する。
【００１５】
ＯＬＥＤデバイスの例示的な場合には、発光高分子は典型的には、湿気及び酸素に敏感であり、過剰な環境暴露で劣化する。それに応じて、薄膜ソリッドステートライティングデバイス１０は、気密封止された平面ユニットとして設計される。閉じ込め層１４、１６のために典型的に使用される幾つかのガラス及び透明又は半透明プラスチック材料は、望ましくないほど高度に湿気を透過させる。この湿気侵入源を低減するために、アルミニウム層又は他の水を透さない層３０が、薄膜発光構造１２と閉じ込め層１６との間に適宜配置される。導電性アルミニウムを介した電気的短絡又は分流を回避するために、適切な絶縁被覆材料３２が、アルミニウム層３０を取り囲む。側面からの湿気侵入を抑制するために、水を透さない周囲の接着剤３４又は別の適切な封止剤が、閉じ込め層１４、１６の外周の周りに配置されて薄膜発光構造１２の気密封止を完成する。封止構造３０、３４は、湿気侵入に対する封止剤として本明細書で述べられるが、これらの及び適宜追加の又は他の封止構造が、酸素などの様々な潜在的有害汚染物質の侵入に対して封止するために提供できる。
【００１６】
駆動電流を薄膜発光構造１２に印加してそれに光を放出させるために、電極４０、４２を提供する。例示する電極４０、４２は、後部閉じ込め層１６及び適宜の水を透さない層３０に形成したビアを貫通する。後者の場合には、適切なビア絶縁構成（図示されず）が、電極４０、４２を例示的なアルミニウム３０から電気的に分離する。概略的な図１で示されないさらなる特徴が、電極４０、４２の周りの気密封止を促進するために追加されてもよい。（適切な気密封止構成の幾つかの具体例については図１１〜１４を参照されたい。）。電極は、気密封止された平面ユニットの外側に広がる、又は言い換えれば電極４０、４２は、平面実装側面２２で露出して薄膜発光構造１２への外部電気的アクセスを提供する。
【００１７】
さらに、電極４０、４２は、磁性材料を含む。幾つかの好ましい実施形態では、磁性材料は、ニッケル又はニッケル合金である。他の適切な磁性材料には、鉄若しくは鉄合金、コバルト若しくはコバルト合金、又は他の強磁性元素若しくはそれらの合金が含まれる。磁性材料はまた、薄膜ソリッドステートライティングデバイス１０を駆動して平面発光主要側２０で光を放出するために駆動電流を導電により運ぶように導電性でもある。
【００１８】
ＯＬＥＤデバイスの電極として使用するための従来材料であるアルミニウムは、磁性材料でない。それに応じて、電極４０、４２は、磁性材料を含むので、それらは、すべてをアルミニウムで作ることができない。しかしながら、非磁性材料を含む他の材料を電極に含むことが企図されている。例えば、図１では、電極４２は、アルミニウムでできている部分４８を含む。アルミニウム部分４８は、ニッケル、ニッケル合金、又は別の磁性材料でできている電極４２の大部分とＩＴＯ層２４との間の電気輸送の改善を提供する。
【００１９】
薄膜発光デバイス１０の製造は、材料堆積段階、フォトリソグラフィ段階又は他のパターン画成段階、及び他の従来の材料製作作業の適切な組合せを用いる。例えば、一手法では、閉じ込め層１４は、いくらかの剛性を持ち、開始基板としての機能を果たすガラス又はプラスチック基板である。ＩＴＯ層２４は、真空蒸着又は別の適切な技術によって基板１４に形成され、適宜パターニングされて直列相互接続又は他の電気的特徴のパターンを画成する。薄膜発光構造１２を構成する発光高分子層又は複数層及び適宜他の材料層が次に、特定の材料に適した堆積技術を使用して堆積され、その後に気密電極４０、４２を形成し、気密封止を確実にするための処理が続く。幾つかの説明に役立つ製作例については図１１〜１４で説明される例を参照されたい。
【００２０】
例示的な図１では、電極４０、４２は、それらの露出面が平面実装側面２２で閉じ込め層１６の露出面と同一平面で配列された状態で示される。しかしながら、電極４０、４２が外側にかつ閉じ込め層１６の露出面の隣接部分を覆って広がることもまた企図されている。そのような広がりは、例えば電極４０、４２が、磁性材料をその内側に電気めっきするビアの外側に膨れ上がる電気めっきによって形成される場合がそうである。
【００２１】
図１で示される薄膜ソリッドステートライティングデバイス１０は、具体例である。電極が平面発光側面２０の反対側の平面実装側面２２に配置される他の構成、及び電極が磁性材料を含む他の構成が、用いられてもよい。
【００２２】
図２を参照すると、例えば、変更した薄膜ソリッドステートライティングデバイス１０’は、図１の電極４０、４２が、周囲の封止接着剤３４中のギャップを貫通する側面延長電極５０、５２に置き換えられることを除いては、図１のそれに似ている。電極５０、５２は、磁性材料で作られ、平面発光側面２０の反対側の平面実装側面２２に配置した電極部分６０、６２に電気的に接触するために、アルミニウム又は別の導電性材料でできているそれぞれの導電配線部分５４、５６によって平面実装側面２２へ巻き付けられる。言い換えれば、電極５０、５４、６０は、薄膜発光構造１２への第１の電気入力を規定し、一方電極５２、５６、６２は、薄膜発光構造１２への第２の電気入力を規定する。図２では電極部分６０、６２だけが、ニッケル又はニッケル合金などの磁性材料で作られるが、適宜その他の電極部分５０、５２、５４、５６の幾つか又はすべてがまた、磁性材料で作られてもよい。
【００２３】
図１に戻って参照し、さらに図３を参照すると、開示する薄膜ソリッドステートライティングデバイス１０の（又は同等に、開示する薄膜ソリッドステートライティングデバイス１０’の）利点は、電極４０、４２が、例示する接続要素若しくは固定具７０などの接続要素への、又は図１で示す薄膜ソリッドステートライティングデバイス１０の２つを直列に電気的に相互接続するように構成されたジャンパ要素への、又はその他への薄膜ソリッドステートライティングデバイス１０の簡便な同時の磁気的かつ電気的接続を可能にするという特徴を含む。固定具７０は、電力供給部品７２（図３では幻像で示す）を含み、それは、固定具７０の裏面の中又は上に配置される。
【００２４】
電力供給部品７２は、電気配線又は導体７４、７６（やはり図３では幻像で示す）を介して薄膜ソリッドステートライティングデバイス１０にエネルギーを与えるのに適した駆動電力又は電流を供給する。駆動電力又は電流は、接続要素７０の対電極８０、８２で利用できる。平面実装側面２２が接続要素７０の平面８４上に置かれるとき、対電極８０、８２が、薄膜ソリッドステートライティングデバイス１０の平面実装側面２２に配置したそれぞれの電極４０、４２と整列し、接触するように、対電極８０、８２は、接続要素７０の平面８４に配列される。図３は、平面実装側面２２が固定具７０の平面８４の方を向いている状態で薄膜ソリッドステートライティングデバイス１０を移動させているが、しかし実際に接触する前の時点を例示する。この図は、接続要素７０の対応する対電極８０、８２との薄膜ソリッドステート発光デバイス１０の電極４０、４２の一般的な整列を示す。
【００２５】
例示する実施形態では、対電極８０、８２は、永久磁石を画成するように磁化される。結果として、固定具７０の平面８４の方を向いている平面実装側面２２が、固定具７０の方へ移動されると、対合磁性電極８０，８２は、対応する隣接電極４０、４２の磁性材料を磁気的に引き付ける。これは、固定具７０の平面８４の方への薄膜ソリッドステートライティングデバイス１０の「引き込み」をもたらし、さらに電極４０、４２は、磁気的引力によって対合磁性電極８０、８２と自動的に整列する。その効果は、薄膜ソリッドステートライティングデバイス１０が、固定具７０の平面８４に十分近くに移動されるとき、自動的に所定の位置に入り、電極４０、４２が、正しく位置決めされ、正しい対応する対電極８０、８２と伝導的電気接触することである。このようにして、薄膜ソリッドステートライティングデバイス１０は、固定具７０と機械的に対合し、固定具７０と電気的に接続して同時に固定具７０から薄膜ソリッドステートライティングデバイス１０の平面実装側面２２に配置した電極４０、４２を含む薄膜ソリッドステートライティングデバイス１０への導電性駆動電流経路を形成する。
【００２６】
極性デバイスである、例示するＯＬＥＤデバイス１０の場合には、電流フローが間違った又は「逆の」方向である場合、ＯＬＥＤデバイスは、動作しないことになるので、電流フローのただ１つの正しい方向がある。それに応じて、電極４０、４２及び対応する対電極８０、８２は、ＯＬＥＤデバイス１０が正しい電気極性で固定具７０に磁気的に付着されることを確実にするために、例えば図３で例示するように、サイズ及び／又は形状を適合させる。電極それ自体を適合させる代わりに、接続が正しい向きで行えるだけである（又は容易に行えるだけである）ような、他の適合させる特徴が、薄膜ソリッドステートライティングデバイス１０の平面実装側面２２にかつそれに対応して接続要素７０の平面８４に含まれてもよい。
【００２７】
電極４０、４２が永久磁石を画成するように磁化されない実施形態では、薄膜ソリッドステートライティングデバイス１０に永久磁石はない。結果として、薄膜ソリッドステートライティングデバイス１０は、磁気ディスク又はＦＬＡＳＨメモリユニットなどの隣接するデジタル記憶媒体にとって危険ではない。固定具７０は、磁石を、すなわち永久磁石を画成するように磁化される電極８０、８２を含む。しかしながら、固定具７０が、壁又は他の固定構造物に付加された取り付け要素である場合、そのとき浮遊磁場からの問題の可能性は、低減される。
【００２８】
磁性材料でできているが磁化されない固定具７０の対電極８０、８２を有すること、及び永久磁石を形成するように磁化される薄膜ソリッドステートライティングデバイス１０の電極４０、４２を有することもまた企図されている。観察される動作は、固定具７０に付着されないとき、薄膜ソリッドステートライティングデバイスが、永久磁石及び結果として生じる浮遊磁場を有することになると理解することになることを除いては、すでに述べたのと同じである。
【００２９】
なお他の熟考する実施形態では、電極４０、４２及び対電極８０、８２は両方とも、永久磁石を形成するように磁化される。これらの実施形態では、永久磁石の極性は、磁気的反発力よりもむしろ磁気的引力を生み出すようなものでなければならない。すなわち、対電極８０と向かい合う電極４０の磁石は、対電極８０のそれと反対の磁気極性を有すべきであり、すなわち「Ｎ極／Ｓ極」又は「Ｓ極／Ｎ極」である。類似の状況は、電極／対電極対４２、８２にも適用できる。幾つかのそのような実施形態では、電極４０、４２は、同じ極性を有してもよい（両方がＮ極又は両方がＳ極である）。他のそのような実施形態では、電極４０、４２は、反対の極性を有してもよく、これらの後者の実施形態では、（例えば）電極４０を間違った対電極８２に接続しようとすると、反発する「Ｎ極／Ｎ極」又は「Ｓ極／Ｓ極」の組合せを結果的にもたらすので、これらの後者の実施形態では、電極４０、４２の磁気極性はまた、電極を正しい対応する対電極８０、８２に磁気的に適合させるためにも使用することができる。
【００３０】
電極４０、４２の（又は電極６０、６２の）磁性材料は、無線誘導電力配送システムで使用することもあるなどの誘導素子の構成要素ではない。結果として、電極４０、４２は、関連するインダクタ巻線を有さず、製作が簡単であり、平面実装側面２２と同一平面で極めて平面に又は平らに（図１で示すように）することができる。さらに、電力移送は、無線誘導的よりもむしろ伝導的であるので、薄膜ソリッドステートライティングデバイス１０にＡＣ／ＤＣ電力変換回路の必要性がない。実際、例示する実施形態を含む幾つかの実施形態では、薄膜ソリッドステートライティングデバイス１０は、平面であり、電力調整電子機器を含まない。代わりに、例示する実施形態では、電力調整電子機器７２は、全体が固定具７０上に配置され、それにより、平面薄膜ソリッドステートライティングデバイス１０を極めて薄くすることが可能になる。例示する薄膜ソリッドステートライティングデバイス１０は、電力調整電子機器を含まないが、薄膜ソリッドステートライティングデバイスの他の（例示しない）実施形態に電力調整電子機器を含むことが企図されている。
【００３１】
例示する固定具７０は、駆動電力又は電流を発生する電力供給部品７２を含む。しかしながら、他の実施形態では、駆動電力又は電流は、どこか他の所から固定具に配送してもよい。例えば、幾つかの実施形態では、固定具は、薄膜ソリッドステートライティングデバイス１０の２つを直列に電気的に相互接続するように構成された１つ以上のジャンパ要素を含んでもよい。この場合には、接続ジャンパ要素は、駆動電流を発生しないが、しかしそれどころか１つの薄膜ソリッドステートライティングデバイス１０から駆動電流を受け取り、それを次の薄膜ソリッドステートライティングデバイス１０に導く。
【００３２】
本明細書で使用するように、「永久磁石を画成するように磁化される」又は同様の語法は、薄膜ソリッドステートライティングデバイス１０を固定具７０で機械的に固定し、電極４０、４２と対応する対電極８０、８２との間の伝導的電気接続をもたらすために十分な磁気強度を有する永久磁石を生み出すための磁化を示す。語句「永久磁石を画成するように磁化される」は、誘導素子がエネルギーを断たれたときに誘導素子の構成要素である磁性材料に残ることもあるなどの残留磁化又は永久磁場にさらされるときに強磁性材料に残される他の浮遊場を包含しない。
【００３３】
対電極８０、８２は、薄膜ソリッドステートライティングデバイス１０が切り離されるときに電気エネルギーを与えられたままであってもよい。この場合には、エネルギーを与えられる対電極８０、８２に存在する電圧は、Ｕｎｉｔｅｄ  Ｓｔａｔｅｓで使用するＵｎｄｅｒｗｒｉｔｅｒｓ  Ｌａｂｏｒａｔｏｒｙ（ＵＬ）クラスＩＩ電力供給標準に適合するレベルなどの無害なレベルにすべきである。
【００３４】
図４〜９を参照すると、全般照明目的のために薄膜ソリッドステートライティングデバイスを取り付けるための開示する構成の柔軟性を例示する、幾つかの例示的な実施形態が、示される。
【００３５】
図４及び５は、一般に平面のＯＬＥＤデバイス１００を頭上の固定具１０２の中又は上に取り付けるための取り付け構成を例示する。ＯＬＥＤデバイスは、一般に下方を向いている発光下面１０４、及び電極４０、４２（図１及び３）に又は電極６０、６２（図２）に対応する磁性材料含有電極を含む上面（図４及び５では見えない）を含む。頭上の固定具１０２は、図３で示す固定具７０に対応し、図３で示す固定具７０の対電極８０、８２に対応する対合磁性電極１０６、１０８を含む。この構成の場合、頭上の固定具１０２の上又は中へのＯＬＥＤデバイス１００の電気的接続及び機械的取り付けを両方とも達成することは、対合磁性電極１０６、１０８がＯＬＥＤデバイス１００の磁性材料含有電極に十分接近するまで、デバイスが頭上の固定具１０２とほぼ整列した状態で、ＯＬＥＤデバイス１００を上昇させる又は持ち上げることによって成し遂げられる。その時点で、磁気的引力は、頭上の固定具１０２の上又は中へのＯＬＥＤデバイス１００の持ち上げを自動的に完了することになり、有利なことに同時にそれの電極を頭上の固定具１０２の対合磁性電極１０６、１０８と整列させ、導電的に接続することになる。
【００３６】
図６〜８を参照すると、柔軟な又は湾曲した薄膜ソリッドステートライティングデバイスを使う手法が、容易に用いられる。図６〜８は、湾曲したライティング固定具１１２と接続する柔軟なＯＬＥＤデバイス１１０を例示する。柔軟な平面ＯＬＥＤデバイス１１０は、一般に下方を向いている発光下面１１４、及び電極４０、４２（図１及び３）に又は電極６０、６２（図２）に対応する磁性材料含有電極を含む上面（図６〜８では見えない）を含む。ライティング固定具１１２は、図３で示す固定具７０に対応するが、しかし一組の対合磁性電極１１６（アノード電極又はカソード電極）及び一組の対合磁性電極１１８（電極１１６のタイプの反対である、カソード電極又はアノード電極）を含む湾曲した取り付け面１１５を有する。対合磁性電極１１６、１１８は、図３で示す固定具７０の対電極８０、８２に対応する。この構成の場合、ライティング固定具１１２の上又は中へのＯＬＥＤデバイス１１０の電気的接続及び機械的取り付けを両方とも達成することは、対合磁性電極１１６、１１８がＯＬＥＤデバイス１１０の磁性材料含有電極に十分接近するまで、デバイスがライティング固定具１１２の取り付け面１１５に対してほぼ屈曲され、整列した状態で、柔軟なＯＬＥＤデバイス１１０を上昇させる又は持ち上げることによって成し遂げられる。その時点で、磁気的引力は、ライティング固定具１１２の上又は中へのＯＬＥＤデバイス１１０の持ち上げを自動的に完了することになり、有利なことに同時にそれの電極をライティング固定具１１２の対合磁性電極１１６、１１８と整列させ、導電的に接続することになる。
【００３７】
図８を特に参照すると、柔軟なＯＬＥＤデバイス１１０の重量、対合磁性電極１１６、１１８の全面積及び位置、対合磁性電極１１６、１１８の磁気強度、並びに他の要因に応じて、磁気的結合は、ライティング固定具１１２の取り付け面１１５への柔軟なＯＬＥＤデバイス１１０の機械的保持を確実にするのにそれだけでは不十分なこともある。そのような場合には、追加の機械的支持が、提供されてもよい。図８では、ライティング固定具１１２の取り付け面１１５のエッジに形成される、隅に置かれたタブ１２０、１２２が、そのような追加の支持を提供する。ＯＬＥＤデバイス１１０は、柔軟であるが、面内のせん断応力に対してかなりの抵抗力を有する（言い換えれば、面内の圧縮応力に起因して「しわくちゃになること」に抵抗する）。それに応じて、柔軟なＯＬＥＤデバイス１１０は、追加の機械的維持力を与えるために、せん断応力がＯＬＥＤデバイス１１０の中央部を取り付け面１１５の中央領域に押し付ける状態で、タブ１２０、１２２に対して圧縮できる。有利なことに、タブ１２０、１２２はまた、ライティング固定具１１２中で柔軟なＯＬＥＤデバイス１１０を整列させるのにも役立つ。例として、適切な手法では、据え付け者は、柔軟なＯＬＥＤデバイス１１０のエッジを対合タブ１２２に押し付け、次いで柔軟なＯＬＥＤデバイス１１０の反対側のエッジが遠位タブ１２０に整合し、押し付けるまで、ＯＬＥＤデバイス１１０の中央領域を取り付け面１１５にぴったりくっつくように押し上げてもよい。
【００３８】
図８はまた、ライティング固定具１１２の内部電気部品も概略的に示す。図３で幻像で示す電力供給部品７２に対応する電力供給部品１２４は、ライティング固定具１１２中の簡便な内部位置に取り付けられ、配線１２６を介して対合磁性電極１１６、１１８と接続する。ワイヤピグテール１２８又は他の電気カプラは、ライティング固定具１１２への電力の配送を提供する。
【００３９】
図９を参照すると、接続要素又は固定具は、別の構造と一体化できる、すなわちライティング固定具は、別の構造と一体化できることを理解すべきである。例として、図９は、水平棚１３２を有するキャビネット１３０を例示する。固定具は、水平棚１３２と一体化される、又は言い換えれば水平棚１３２はまた、下側（下方に向いている）発光面１４２及び磁性材料含有電極１４６、１４８を含む反対側の（上方に向いている）表面１４４を有する平面ＯＬＥＤデバイス１４０を取り付けるためのライティング固定具としての機能も果たす。このような目的で、水平棚１３２は、それの下面に図３で示す固定具７０の対電極８０、８２に対応する対合磁性電極１５０、１５２を有し、それらはまた、棚１３２に取り付けた電力供給部品１５４とも電気的に接続される。電力供給部品１５４は、図３で幻像で示す電力供給部品７２に対応する。作業は、図４及び５の実施形態について述べたことに、すなわち伝導的電気接続及び機械的取り付けを両方とももたらすために、平面ＯＬＥＤデバイス１４０が、それの磁性材料含有電極１４６、１４８が磁気的引力によって対合磁性電極１５０、１５２に引き付けられるまで、それの面１４２が水平棚１３２の底部（取り付け面）と向かい合う状態で、持ち上げられることに類似している。
【００４０】
図１０を参照すると、図４で示す固定具１０２に対応する固定具１０２は、タイル状配置で示される。図１０は、固定具１０２を横方向の分解図で示し、各固定具１０２は、図４で見られる実装側面の反対側から見られている。図１０の見え方によれば、対合磁性電極１０６、１０８は、直接見えないが、しかし対応する磁石取り付け凹部１０６’、１０８’は、各固定具１０２中に電力供給部品を取り付けるための凹部１６０と一緒に見える。電気ジャンパ１６２は、固定具１０２のエッジで固定具１０２を電気的に相互接続する。固定具１０２の電気的相互接続は、電気ジャンパ１６２の構成及び電力供給部品の回路によって制御され、一般にタイル状固定具１０２は、並列に、直列に、又は別の電気的レイアウトで電気的に相互接続できる。
【００４１】
図１及び２に戻って参照すると、開示するライティングデバイス、ライティング固定具、ランプ実装技術などは、平面発光側面及び反対側の平面実装側面を有し、薄膜ソリッドステートライティングデバイスの平面実装側面に配置した電極を含む様々なタイプの薄膜ソリッドステートライティングデバイスと併せて使用することができる又は実行できる。そのようなデバイスの１つの部類は、有機発光ダイオード（ＯＬＥＤ）デバイスの部類である。これらのデバイスは、裏面ビアを通じて薄膜発光構造１２に接触する電極４０、４２を含むことができる（図１）、又は電極５０、５２がそれぞれの導電配線部分５４、５６によって平面実装側面２２まで巻き付けられて電極部分６０、６２に電気的に接触する状態で、デバイスの外側を通る電気的接続を有することができる（図２）。前者の構成は、それがデバイスの複雑性及び湿気侵入の潜在箇所を低減する限りにおいて特に簡便であり、これは、幾つかのＯＬＥＤ活性材料が湿気又は幾つかの他の環境汚染物質にさらされると急速に劣化するので有利である。
【００４２】
図１１〜１４を参照すると、裏面ビアを通じて薄膜発光構造１２に接触する電極を有するＯＬＥＤデバイスの幾つかの追加の例示的な実施形態が、述べられる。
【００４３】
一般に、ＯＬＥＤデバイスは、様々な製作プロセスを使用して製造できる。ＯＬＥＤ活性発光材料又は複数材料は、溶液処理材料若しくはその他を使用して、ガラス若しくはプラスチック膜などの基板を使用して、真空蒸着によって形成できる。平坦で薄い形式で製造されたＯＬＥＤデバイスは、ディスプレイ又は全般照明用途などの用途での使用を見いだす。プラスチック基板の使用は、低コストのロールツーロール製造を容易にする。透明プラスチック膜上に薄い透明酸化物層を備えるバリア層などの、様々なバリア膜が、適切に使用される。例示的なデバイスを構成する様々な「層」は、被覆、膜、別個のシート、又はその他などとして様々に具体化されてもよく、所与の層は、２つ以上の構成層の合成物を含んでもよい。
【００４４】
図１１を参照すると、例示的なＯＬＥＤデバイス３００は、ガラス又はプラスチック基板３０９、バリア層３０１、第１の電極層（反対の極性デバイスもまた企図されているが、例として本明細書ではアノード層と呼ばれる）を形成する透明導電層３０２、１つ以上の発光層３０３、及び第２の電極層３０４（逆極性デバイスもまたやはり企図されているが、本明細書ではカソード層と呼ばれる）を含む。次の適宜の層、すなわち、正孔注入、正孔輸送、電子注入及び電子輸送の層、又はその他の１つ以上などの、他の層（例示せず）がまた、適宜含まれてもよい。例示する層３０５は、製作中にカソード層３０４に機械的保護を提供するために、処理中に他のパッケージ要素への電気的分流又は短絡を防止するために、又は他の目的のために使用してもよい適宜の絶縁層である。
【００４５】
カソード層３０４は、露出領域３０６を有し、アノード層３０２は、露出領域３０７を有する。これらの露出領域３０６、３０７は、電気的接続を形成してデバイス３００に電気エネルギーを与えるために使用される。電気的に接触するために接触層３０２、３０４の複数の露出領域があってもよいことが理解されよう。例えば、発光層又は複数層３０３の電気的に分離したセグメント又は部分は適宜、層３０２、３０３、３０４のパターニングによって形成されて、導電性相互接続配線を使用して直列、並列、又は別の電気的構成で電気的に相互接続した電気接触層３０２、３０４の露出領域を持つ電気的に分離したセグメント又は部分を形成してもよい（特徴は図示せず）。バリア層３０８は、カソード層３０４に追加の保護を提供するために含まれてもよい別の適宜の層である。ＯＬＥＤデバイス３００では、表面３１０は、発光側面であり、表面３１１は、非発光裏側である。
【００４６】
図１１のＯＬＥＤデバイス３００は、具体例であり、他のＯＬＥＤデバイス構成は、本明細書で述べる気密封止されたパッケージで使用することができる。幾つかの他の適切なＯＬＥＤデバイスは、例えば米国特許第６，６６１，０２９号、米国特許第６，７００，３２２号、米国特許第６，８００，９９９号及び米国特許第６，７７７，８７１号で述べられており、それらの各々は、参照によりそれの全体が本明細書に組み込まれる。
【００４７】
図１２を参照すると、気密封止された電気的パッケージの分解図が示されており、バックシート４００及び接触層３０２、３０４の露出領域３０６、３０７に電気的に接触する導電性素子４１０、４１１と一緒にＯＬＥＤデバイス３００を含む。気密封止されたパッケージでは、バックシート４００及びＯＬＥＤデバイス３００がその上に形成されるガラス又はプラスチック基板３０９は、気密封止されたパッケージのための挟み込み閉じ込め構造を共同して画成する。この封止されたパッケージでの基板３０９に適した幾つかの材料には、ポリエステル及びポリカーボネートなどの透明で柔軟なプラスチック、特に光学的等級のそのようなプラスチックが含まれる。バリア層３０１に適した材料には、低透湿率、例えば好ましくは約１０-4ｃｃ／ｍ2／日未満、より好ましくは１０-5ｃｃ／ｍ2／日未満、さらにより好ましくは約１０-6ｃｃ／ｍ2／日未満の透湿率を有する材料が含まれ、これらの値は、約２３℃の温度について指定されている。バリア層３０１に適した幾つかの材料には、それらの各々が参照によりそれの全体が本明細書に組み込まれる、例えば米国特許第７，０１５，６４０号、米国特許第６，４１３，６４５号、米国特許第６，４９２，０２６号、米国特許第６，５３７，６８８号、及び米国特許第６，６２４，５６８号で述べられるなどのＵＨＢ材料、又は柔軟な若しくは硬いガラス、透明な金属及びインジウムスズ酸化物（ＩＴＯ）などの、十分な湿気及び／若しくは酸素バリア性を有する酸化物、並びにこれらの組合せが含まれる。
【００４８】
例示する実施形態では、バックシート４００は、薄い界面層４０１、バリア層４０２、及び適宜の絶縁層４０３で構成された多層箔である。バックシート４００としての使用に適した幾つかの材料には、ヒートシール可能な材料などの、膜又はシートの形で湿気及び適宜酸素バリア性を有する市販の多層パッケージング又は蓋用材料が含まれる。蓋用材料は典型的には、複数の薄い高分子層から成り、蓋用箔はまた、高分子層間に挟まれるアルミニウムなどの金属箔を含んでもよい。適切な材料の一例は、Ｔｏｌａｓ  Ｈｅａｌｔｈｃａｒｅ  Ｐａｋａｇｉｎｇ、Ｆｅａｓｔｅｒｖｉｌｌｅ、ＰＡ、ＵＳＡ、Ｏｌｉｖｅｒ−Ｔｏｌａｓ、Ｇｒａｎｄ  Ｒａｐｉｄｓ、ＭＩ、ＵＳＡの一部門によって製造されるＴｏｌａｓ  ＴＰＣ−０８１４Ｂ蓋用箔である。穴又はビア４０４、４０５は、押し抜き、打ち抜き、レーザー加工、リソグラフィエッチング、又はその他などの任意の適切な方法を使用してバックシート４００に形成される。穴４０４、４０５は、円形又は別の横方向幾何形状又は形状とすることができ、多様な直径若しくはサイズ、又はＯＬＥＤデバイスのレイアウト及び他の設計要因に応じて他の形状及び縦横比とすることができる。
【００４９】
穴又はビア４０４、４０５にそれぞれ対応するパッチ４０８、４０９は、湿気又は他の有害な環境汚染物質を透さない十分な厚さ及び均一性のアルミニウムなどの導電性箔要素を適切に含む。本明細書で使用するように、術語「パッチ」は、穴又はビア４０４、４０５を覆うために使用する導電性材料の小片又はシートのことである。パッチ４０８、４０９は、それぞれの穴又はビア４０４、４０５のための気密封止を提供し、ＯＬＥＤデバイス３００に悪影響を及ぼすこともある湿気、酸素、及び／又は他の汚染物質を透さない十分な厚さである。パッチ４０８、４０９は、例えば十分な厚さの金属箔を含んでもよい。封止をさらに容易にするために、パッチ４０８、４０９は、それぞれの穴又はビア４０４、４０５よりも実質的に大きいサイズにする。例示する実施形態では、パッチ４０８、４０９は、界面層４０１によってバリア層４０２に封止されてそれぞれのシールゾーン４１６、４１７を形成する。穴又はビア４０４、４０５は、円形、正方形、又は他の形状にしてもよく、対応するパッチ４０８、４０９は、円形、正方形、又は他の形状にしてもよい。これが事例であってよいが、パッチは、対応する穴と同じ形状を有する必要はない。例示するパッチ４０８、４０９は、アノード及びカソードのための穴４０４、４０５を覆うが、しかしながら、一般にパッチは、電流の横方向輸送を提供する又は他の電気的相互接続構成（例として、図６〜８の実施形態での事例など）を容易にするために複数の穴を覆うように構成できる。一例では、パッチ４０８、４０９は、０．００１インチ厚さのアルミニウム箔から製作される。パッチ４０８、４０９は、箔シートから適切に打ち抜かれ又は他の方法で製作され、それぞれの穴又はビア４０４、４０５の気密封止を容易にするために十分に平面にすべきである。
【００５０】
パッチ４０８、４０９に適した幾つかの材料には、アルミニウム、ステンレス鋼、ニッケル、及び真ちゅうが含まれる。一例では、パッチは、０．００１インチ厚さのアルミニウム箔から製作される。別の例では、パッチは、０．００１インチ厚さのステンレス鋼から製作される。パッチは、箔シートから打ち抜かれてもよく、又は他の方法で形成されてもよい。パッチは、パッケージ封止を損なうことを避けるためにパッチの切り口でのばりを十分になくすべきである。幾つかの実施形態では、パッチ４０８、４０９は、ニッケル、ニッケル合金、ステンレス鋼などの磁性材料、又は図３〜１０を参照して一般的に述べられる磁気的取り付けのための磁性材料を提供する別の適切な磁性材料で作られる。これらの実施形態では、パッチ４０８、４０９は、磁化されても磁化されなくてもよい。
【００５１】
パッチ４０８は、導電性素子４１０を通じてカソード層３０４の露出領域３０６に電気的に結合される。同様に、パッチ４０９は、導電性素子４１１を通じてアノード層３０２の露出領域３０７に電気的に結合される。導電性素子４１０、４１１は、電気接触領域３０６、３０７と対応するパッチ４０８、４０９との間に置かれる、Ｓｔａｙｓｔｉｋ５７１（Ｃｏｏｋｓｏｎ  Ｅｌｅｃｔｒｏｎｉｃｓ、Ａｌｐｈａｒｅｔｔａ、ＧＡ、ＵＳＡから入手できる）などの導電性接着剤を含むことができる。接着剤４１０、４１１は、手動分注又は自動化接着剤分注器などの様々な製作手法によって形成又は配置できる。バックシート４００のビア４０４、４０５、対応するパッチ４０８、４０９、対応する導電性素子４１０、４１１、及びＯＬＥＤデバイス３００の対応する電極接点３０６、３０７は、積層プロセスに備えて整列され、保管される。幾つかの実施形態では、積層プロセスは、好ましくは９０℃と１３０℃との間の温度で、より好ましくは約１２０℃で、好ましくは１ｐｓｉから３０ｐｓｉ、より好ましくは約１５ｐｓｉの圧力で、好ましくは１秒と１０分との間の時間、より好ましくは約３０秒にわたって行われる。これらの積層プロセスパラメータは、単に具体例であり、他の積層プロセスが、使用されてもよい。積層は、パッチ４０８、４０９がそれぞれの導電性素子４１０、４１１を通じてそれぞれのアノード及びカソード接触領域３０６、３０７と電気的接続をする、気密封止された電気的パッケージを製造する。デバイスの分流又は短絡を避けるために、パッチ４０８、４０９は、互いに電気的に分離すべきであり、同様に導電性素子４１０、４１１は、互いに電気的に分離すべきであることが理解されよう。しかしながら、すでに述べたように、同じ導電型の複数のビアが含まれる場合（例えば、アノード層３０２の露出領域にアクセスする複数のビア）、同じ導電型のこれらの複数のビアを横断して広がりかつ封止する単一のパッチを用い、同じ導電型のビアの簡便な内部電気的相互接続をもたらすことが企図されている。
【００５２】
例示的な図１２では、アノード層接点３０６並びに対応するパッチ４０８及びビア４０４はすべて、一般に中央に整列させ、同様に、カソード層接点３０７並びに対応するパッチ４０９及びビア４０５はすべて、一般に中央に整列させる。しかしながら、パッチ４０８、４０９が、それぞれの開口４０４、４０５を完全に覆い、封止する限り、これは、必須ではない。実際、これらの構成要素間のいくらかのオフセット配向は、ＯＬＥＤデバイスレイアウト及びパッケージ設計を最適化するのに有利となり得ることが企図されている。
【００５３】
材料の開示する例示的な組合せは、同じ積層条件の下で導電性素子４１０、４１１及び界面層４０１を両方とも接合するための単一積層プロセスを使用して積層できる。しかしながら、２つ以上の積層プロセスを使用してこれらの接合を形成することもまた企図されている。さらに、最終積層より前に選択した素子のサブアセンブリを作ることが、望ましいこともある。例えば、パッチ４０８、４０９は適宜、第１の作業でバックシート４００に付着され、その後に第２の作業でバックシート４００へのＯＬＥＤデバイス３００の積層が続く。
【００５４】
様々なプロセス依存積層パラメータを使用する、ポーチ積層、ロール積層、ホットプレス積層、又はその他などの、様々な積層プロセスが、使用することができる。積層プロセス又は複数プロセスは適宜、積層プロセス又は複数プロセスに適している又は有益であるようなリリース膜、プレスパッド、ツーリングプレート、又はその他を用いてもよい。他のプロセス作業もまた、ＯＬＥＤデバイス製作プロセスを向上させることが企図されている。例えば、湿気を除去するためにバックシート４００を真空下で１２時間にわたって８０℃で乾燥させるなどの、パッケージ材料から湿気を除去してきれいにするための作業が、有利なこともある。様々なプロセス作業はまた、不活性雰囲気で適宜行われてもよく、又は他の段階が、湿気、酸素若しくは他の潜在的に有害な汚染物質による汚染を防止するために採用されてもよい。
【００５５】
パッチ４０８、４０９及びバックシート４００は、前述のシールゾーン４１６、４１７が、湿気及び酸素にとって幾何学的に都合の悪い侵入経路を提示する方法で作られるように封止される。シールゾーン４１６、４１７の幾何形状は、界面層４０１の厚さに対するシールゾーン経路長の比Ｒ1として述べることができる。大きな比Ｒ1は、所与の材料セットについてより困難な侵入経路を提供する。それぞれの穴４０４、４０５及びパッチ４０８、４０９の形状、サイズ及び整列に応じて、比Ｒ1は、分析のために選択される特定の経路に応じて変化することもあり得る。例示的な一実施形態では、ビア４０４、４０５は、０．２５インチ（０．６３５ｃｍ）の直径を有し、パッチ４０８、４０９は、１．２５インチ（３．１７５ｃｍ）の直径を有し、その結果シールゾーン経路長は、０．５インチ（１．２７ｃｍ）であり、比Ｒ1は、約５００：１である。（寸法は、図面では一定の縮尺で描写されていないことを理解すべきである。）。一般に、界面層４０１の厚さ（すなわち、バリア４０２とパッチ４０８、４０９との間の浸透経路）の低減は、比Ｒ1を増加させ、ビア４０４、４０５の気密封止を改善すると期待される。さらに、ビア４０４、４０５の直径を最小限にすることは、望ましいこともある。例えば、適切な製作及び整列手順を使用して約０．０２５インチ（０．０６４ｃｍ）の直径まで低減することは、封止を向上させると期待される。ＯＬＥＤデバイス３００のレイアウトに応じて、より小さなビア４０４、４０５が、デバイスの発光面積を最大にするなどの他の設計目標を達成するために望ましいこともある。
【００５６】
バックシートが導電層を含むこともまた熟考され、その場合には、バックシートの導電層がパッチの１つを置き換えることができるので、１つの導電型のビア又は複数ビアは、省略できる（実施形態を例示せず）。そのような実施形態では、もう一方の導電型の電気接触層にアクセスするためのビア又は複数ビアは、バックシートの導電層への短絡又は分流を避けるために、適切な環状絶縁挿入物、絶縁被覆、又はその他を使用して電気的に絶縁しなければならない。
【００５７】
図１３を参照すると、代替実施形態の分解図が示され、それでは、内部設置パッチ４０８、４０９は、デバイス３００に関してバックシート４００の反対側の面に設置した外部設置パッチ５０８、５０９によって置き換えられる。気密封止を容易にするために、パッチ５０８、５０９は適宜、接着剤などの界面層５０１を含む。界面層５０１での使用に適した材料は、少なくとも湿気及び酸素に対して低い透過性を有する。さらに、材料は好ましくは、比較的低温で、例えば好ましくは１５０℃未満、より好ましくは１２０℃未満で処理できる。一例では、ＰＲＩＭＡＣＯＲ３４６０熱可塑性接着剤（Ｄｏｗ  Ｃｈｅｍｉｃａｌ、Ｍｉｄｌａｎｄ、Ｍｉｃｈｉｇａｎ、ＵＳＡから入手できる）が、０．００１インチ厚さの層を準備するために使用される。パッチ５０８、５０９（適宜の界面層５０１を備える）は、バックシート４００の開口４０４、４０５に整列され、それらとともに積層される。幾つかの実施形態では、積層プロセスパラメータは、好ましくは９５℃と１２５℃との間の、より好ましくは約１１５℃の温度、好ましくは５ｐｓｉから２０ｐｓｉの間の、より好ましくは約１０ｐｓｉの圧力、好ましくは１分と１０分との間の、より好ましくは約２分の時間を含む。ポーチ積層、ロール積層、ホットプレス積層、又はその他などの、様々な積層プロセスが、適しており、リリース膜、プレスパッド、ツーリングプレート、又はその他（図示せず）を適宜用いてもよい。適宜の界面層５０１としての使用に適した他の材料には、熱硬化性及び熱可塑性接着剤が含まれる。
【００５８】
図１３の構成は、パッチ５０８、５０９のサイズがＯＬＥＤデバイス３００並びにそれの露出したアノード及びカソード層領域３０６、３０７のサイズ及び位置によって制限されないので、前述の比Ｒ1を図１２の実施形態と比較して一般により大きくできる。実際、例示的なパッチ５０８は、パッチ５０８について例示するように、パッケージのエッジを超えて広がる。定量的な一例では、比Ｒ1＝１０００：１をもたらすために、経路長は、１．０インチ（２．５４ｃｍ）であってもよく、界面層５０１は０．００１インチ（０．００２５ｃｍ）の厚さを有してもよい。
【００５９】
図１３の例示的な実施形態では、ＯＬＥＤデバイス３００は、バックシート４００及びパッチ５０８、５０９を束ねる積層プロセスとは別個の積層プロセスでバックシート４００と積層される。この積層プロセスでは、バックシート４００、ＯＬＥＤデバイス３００、及び導電性素子４１０、４１１が、整列され、保管される。パッチ５０８、５０９は、最初にバックシート４００と積層でき、その後にバックシート４００とのＯＬＥＤデバイス３００の積層が続く。別法として、バックシート４００は、最初にＯＬＥＤデバイス３００と積層でき、その後にパッチ５０８、５０９の積層が続く。この第２の代替積層順序では、第１の積層プロセスは、ＯＬＥＤデバイス３００が機械的損傷及び湿気侵入から保護される封止されたパッケージを結果的にもたらすが、しかしそのシールは、パッチ５０８、５０９の欠如に起因して決して理想的でない。それにもかかわらず、第１の積層プロセスが与えるＯＬＥＤデバイス３００の保護に起因して、ある時間後に導電性素子４１０、４１１及びパッチ５０８、５０９を結合する第２の積層プロセスを行うことが企図されている。なお他の熟考する実施形態では、第１及び第２の積層プロセスは、単一積層プロセスとして組み合わされる。
【００６０】
図１４を参照すると、気密封止されたパッケージのなお別の実施形態の分解図が例示されており、やはり、ＯＬＥＤデバイス３００、開口又はビア４０４、４０５を備えるバックシート４００、及び導電性素子４１０、４１１を含む。この実施形態では、それぞれのシールゾーン６１６、６１７を形成するパッチ６０８、６０９は、バックシート４００と第２のバックシート６００との間に挟まれ、その第２のバックシート６００は、開口又はビア４０４、４０５に対応する開口又はビア６０４、６０５を有し、バックシート４００のそれぞれの層４０１、４０２、４０３に似た薄い界面層６０１、バリア層６０２、及び適宜の絶縁層６０３を含む。パッチ６０８、６０９は適宜、接着剤６１１を提供される。この実施形態は、図１３の実施形態について述べたそれらに類似の理由により大きな比Ｒ1を可能にする。様々な積層プロセス及びプロセス順序が、図１４の実施形態について企図されている。
【００６１】
バックシートのビアを貫通する裏面接点を有し、シール用パッチを含む気密封止されたパッケージを備えるＯＬＥＤデバイスの幾つかの具体例が、述べられてきた。幾つかの追加の具体例は、２００９年出願のＦａｒｑｕｈａｒ他の「Ｈｅｒｍｅｔｉｃ  Ｅｌｅｃｔｒｉｃａｌ  Ｐａｃｋａｇｅ」と題する米国特許出願第１２／４７００３３号（代理人整理番号２３７４８４−１）に記載されており、その開示内容は援用によって本明細書の内容の一部をなす。さらに、図１１〜１４のデバイスは、具体例のためにＯＬＥＤデバイスとして本明細書で述べられるが、他の薄膜ソリッドステートライティングデバイスは同様に、１つ以上の発光層３０３として適切な発光材料又は材料構造を用いることによって構築できる。
【００６２】
図１１〜１４の参照を続けると、磁石又は磁性材料を電極に組み込むためのデバイスの変更は、様々な方法で行うことができる。一手法では、パッチ４０８、４０９、５０８、５０９、６０８、６０９は、ニッケル、ニッケル合金、ステンレス鋼、又は別の適切な磁性材料で適切に作られる。永久磁石が望まれる場合、パッチは、磁化されてもよい。この手法は、パッチ４０８、４０９、５０８、５０９、６０８、６０９が大面積であり、かなりの量の磁性材料を提供して固定具７０、１０２、１１２、１３２との磁気的取り付け及び同時の磁気的伝導的電気接続を容易にするという点で有利である。
【００６３】
他の実施形態では、追加の外部磁性電極材料が、電極を完成するために追加されてもよい。例えば、図１１及び１２の実施形態では、ビア４０４、４０５は適宜、追加の導電性材料（図示せず）で充填されて埋め込みパッチ４０８、４０９との電気接触を提供する。同様に、図１４の実施形態では、第２のバックシート６００のビア６０４、６０５は好ましくは、追加の導電性材料（図示せず）で充填されて埋め込みパッチ６０８、６０９との電気接触を提供する。（そのようなビア充填を行うとき、バリア層４０２又はバリア層６０２が導電性材料でできている場合、そのときビア壁は、堆積絶縁体、絶縁ブッシング素子などを使用して絶縁しなければならない。）。
【００６４】
図１３の実施形態ではパッチ５０８、５０９が、気密封止されたＯＬＥＤパッケージの表面に直接露出して、対合磁性電極によるそれとの磁気的結合を特に効果的にするので、図１３の実施形態は、ライティング固定具への磁性材料に基づく電気的及び機械的取り付けを含むために特に魅力的である。
【００６５】
好ましい実施形態が、例示され、述べられてきた。明らかに、変更及び改変は、先の詳細な記述を読み、理解することで他の人にも気が付くことになる。本発明は、すべてのそのような変更及び改変を、それらが添付の特許請求の範囲又はそれらの等価物の範囲内に入る限りにおいて含むと解釈されることを意図している。
【図１】
0005693567.tif 000002
【図２】
0005693567.tif 000003
【図３】
0005693567.tif 000004
【図４】
0005693567.tif 000005
【図５】
0005693567.tif 000006
【図６】
0005693567.tif 000007
【図７】
0005693567.tif 000008
【図８】
0005693567.tif 000009
【図９】
0005693567.tif 000010
【図１０】
0005693567.tif 000011
【図１１】
0005693567.tif 000012
【図１２】
0005693567.tif 000013
【図１３】
0005693567.tif 000014
【図１４】
0005693567.tif 000015